【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
メモリと、
プロセッサと、
複数のウェブサイトをホストするウェブサイト構築システムと、
前記ウェブサイトのためのパラメータ、カード定義に関する事前定義されたルール、事前定義されたウィジェットカードパラメータ、および製品分類タキソノミを格納する少なくとも１つのデータベースと、
製品に関連するアクションに関連する、前記複数のウェブサイトのうちの１つのウェブサイトからのトリガを受け取り、前記アクションと、前記製品分類タキソノミと、前記ウェブサイトのためのパラメータ、前記事前定義されたルール、および前記事前定義されたウィジェットカードパラメータのうちの少なくとも１つと、に従って前記製品に関連するアクション可能なウィジェットカードを生成するための少なくとも１つのカード製品システムと、
を含むメッセージシステムであって、
前記ウィジェットカードが、前記ウェブサイトと前記ウェブサイトの少なくとも１人のユーザとのうちの少なくとも１つの間、および、前記ウェブサイト構築システムの前記ユーザと第２のユーザとの間で前記製品に対して少なくとも電子商取引関連操作を実施し、
前記プロセッサが前記ウェブサイト構築システム、および少なくとも１つの製品カードシステムを起動する、メッセージシステム。
【請求項２】
前記製品がビジネスオブジェクトである、請求項１に記載のシステム。
【請求項３】
前記ウィジェットカードが、カードタイプ、ビジュアル表示ウィジェット、および前記製品分類タキソノミによる関連製品分類を有するビジネスオブジェクトのパラメータを含む、請求項２に記載のシステム。
【請求項４】
前記製品に関連するカードサブタイプ、関連アクション、および他の追加情報の少なくとも１つのパラメータをさらに含む、請求項３に記載のシステム。
【請求項５】
前記少なくとも１つのカード製品システムが、
ウィジェット、ビジネスオブジェクト階層およびタキソノミ、運用データ、アクション定義、ウィジェットカード定義、ならびに前記事前定義されたルールに関する情報を格納するためのカード情報リポジトリと、
入来テキスト、入来媒体、前記製品に関連する入来ウェブページ、および前記ウェブサイト構築システムの外部のシステムからの外部製品参照のうちの少なくとも１つを分析し、製品参照を、標準化製品定義および分類とともに構造化製品説明に変換するための製品クラシファイヤと、
前記トリガ、前記カード情報リポジトリ、および前記製品クラシファイヤの出力に基づいて前記ウィジェットカードを作成するためのカードクリエータと、
前記ウィジェットカードの表示フィードを生成し継続的に更新するためのカードフィードディスプレイヤと、
を含む、請求項２に記載のシステム。
【請求項６】
前記ユーザからの要求に基づいて、前記ウィジェットカードを、前記ウェブサイト構築システムの第２のユーザにまたは前記ウェブサイト構築システムの外部のシステムに転送するためのカードトランスファーラ、および
前記ユーザからの要求に基づいて前記ウィジェットカードの前記パラメータを変換するためのカードトランスフォーマ、
のうちの少なくとも１つをさらに含む、請求項５に記載のシステム。
【請求項７】
前記ユーザに関連する外部センサから前記ユーザの環境、生物測定、生理的、または心理的パラメータを受け取るための外部センサおよび情報レトリーバ、
前記製品を、前記ウェブサイト、前記ウェブサイト構築システム、前記ウェブサイト構築システムに関連するサードパーティアプリケーション、および前記ウェブサイト構築システムの外部のシステムのうちの少なくとも１つにおいて、同様の分類を有する少なくとも１つの類似した製品と照合するための製品マッチャ、
前記ウェブサイト構築システムの外部のウェブページからの入来外部製品参照を分析し、前記ウィジェットカードのアクションが前記ウェブサイト構築システムに対して外部プログラムを起動することを可能にするための外部システムサポータおよびインテグレータ、
販売のためのカードタイプを前記ユーザに提供するためのカードマーケットプレイス、
および
ユーザインサイト、前記ユーザのウェブサイト挙動、前記ユーザのアクティビティ履歴、および前記ユーザの好みに関する情報を分析および蓄積するためのＡＩアナライザ、
のうちの少なくとも１つをさらに含む、請求項６に記載のシステム。
【請求項８】
前記ウェブサイト構築システムが、
サイトおよびアプリケーション運用データ、収集されたビジネスインテリジェンス（ＢＩ）、前記ウェブサイトに関連するアクティビティ、メッセージ、および連絡を格納するためのランタイムリポジトリと、
テンプレート、コンポーネント定義、サイトおよびアプリケーション定義、ならびに前記ウェブサイトの編集履歴を格納するデザインタイムリポジトリと、
前記ウェブサイト構築システムのベンダおよびサードパーティカード設計者が前記ウィジェットカードを設計および編集することを可能にするためのビジュアルエディタと、
を含む、請求項１に記載のシステム。
【請求項９】
前記ウィジェットカードのスタイルおよびレイアウトを、前記ウィジェットカードを表示するウェブサイトのスタイルおよびレイアウトのうちの少なくとも１つに適応させるためのビジュアルアダプタ、ならびに
前記ウェブサイトの設計者が、定義言語、修正された既存のビュー、およびビジュアル編集のうちの少なくとも１つに基づいてウィジェットを作成することを可能にするためのウィジェットクリエータ、
のうちの少なくとも１つをさらに含む、請求項８に記載のシステム。
【請求項１０】
前記ユーザが、前記ウェブサイトの匿名のユーザ、前記ウェブサイトの通常のユーザ、前記ウェブサイトの加入ユーザ、前記ウェブサイトの非加入ユーザ；前記ウェブサイト構築システム、サードパーティアプリケーションプロバイダ、垂直アプリケーションプロバイダの内部ベンダスタッフ、前記ウェブサイトの訪問者、前記ウェブサイトの運営者、前記ウェブサイトの所有者、および前記ウェブサイトの設計者のうちの少なくとも１人である、請求項１に記載のシステム。
【請求項１１】
前記トリガが、前記ユーザの直接アクション、前記ユーザからの要求、外部の実世界センサイベント；前記ウェブサイトの時間ベースアクティビティおよびビジネスまたはデザイン分析のうちの１つである、請求項１に記載のシステム。
【請求項１２】
前記ウィジェットカードが、前記ウェブサイト構築システムに関連する少なくとも１つのサードパーティアプリケーションを用いてメッセージを伝達する、請求項１に記載のシステム。
【請求項１３】
前記製品が、消費財、サービスセッション、興味のあるトピック、または非消費者環境内の製品である、請求項１に記載のシステム。
【請求項１４】
複数のウェブサイトをホストするウェブサイト構築システムに属するウェブサイトのパラメータ、カード定義に関する事前定義されたルール、事前定義されたウィジェットカードパラメータ、および製品分類タキソノミを格納することと、
製品に関連するアクションに関連する、前記複数のウェブサイトのうちの１つのウェブサイトからのトリガを受け取ることと、
前記アクションと、前記製品分類タキソノミと、前記ウェブサイトのパラメータ、前記事前定義されたルール、および前記事前定義されたウィジェットカードパラメータのうちの少なくとも１つと、に従って前記製品に関連するアクション可能なウィジェットカードを生成することと、
を含む方法であって、
前記ウィジェットカードが、前記ウェブサイトと前記ウェブサイトの少なくとも１人のユーザとのうちの少なくとも１つの間、および、前記ウェブサイト構築システムの前記ユーザと第２のユーザとの間で前記製品に対して少なくとも電子商取引関連操作を実施する、方法。
【請求項１５】
前記製品がビジネスオブジェクトである、請求項１４に記載の方法。
【請求項１６】
前記ウィジェットカードが、カードタイプ、ビジュアル表示ウィジェット、および前記製品分類タキソノミによる関連製品分類を有するビジネスオブジェクトのパラメータを含む、請求項１５に記載の方法。
【請求項１７】
前記製品に関連するカードサブタイプ、関連アクション、および他の追加情報の少なくとも１つのパラメータをさらに含む、請求項１５に記載の方法。
【請求項１８】
前記受け取って生成することが
ウィジェット、ビジネスオブジェクト階層およびタキソノミ、運用データ、アクション定義、ウィジェットカード定義、ならびに前記事前定義されたルールに関する情報を格納することと、
入来テキスト、入来媒体、前記製品に関連する入来ウェブページ、および前記ウェブサイト構築システムの外部のシステムからの外部製品参照のうちの少なくとも１つを分析し、製品参照を、標準化製品定義および分類とともに構造化製品説明に変換することと、
前記トリガと、カード情報リポジトリと、製品参照を前記分析し変換することの出力とに基づいて前記ウィジェットカードを作成することと、
前記ウィジェットカードの表示フィードを生成し継続的に更新することと、
を含む、請求項１５に記載の方法。
【請求項１９】
前記ユーザからの要求に基づいて、前記ウィジェットカードを、前記ウェブサイト構築システムの第２のユーザにまたは前記ウェブサイト構築システムの外部のシステムに転送すること、および
前記ユーザからの要求に基づいて前記ウィジェットカードの前記パラメータを変換すること、
のうちの少なくとも１つをさらに含む、請求項１８に記載の方法。
【請求項２０】
前記ユーザに関連する外部センサから前記ユーザの環境、生物測定、生理的、または心理的パラメータを受け取ること、
前記製品を、前記ウェブサイト、前記ウェブサイト構築システム、前記ウェブサイト構築システムに関連するサードパーティアプリケーション、および前記ウェブサイト構築システムの外部のシステムのうちの少なくとも１つにおいて、同様の分類を有する少なくとも１つの類似した製品と照合すること、
前記ウェブサイト構築システムの外部のウェブページからの入来外部製品参照を分析し、前記ウィジェットカードのアクションが前記ウェブサイト構築システムに対して外部プログラムを起動することを可能にすること、
販売のためのカードタイプを前記ユーザに提供すること、ならびに
ユーザインサイト、前記ユーザのウェブサイト挙動、前記ユーザのアクティビティ履歴、および前記ユーザの好みに関する情報を人工知能に基づいて分析および蓄積すること、
のうちの少なくとも１つをさらに含む、請求項１９に記載の方法。
【請求項２１】
サイトおよびアプリケーション運用データ、収集されたビジネスインテリジェンス（ＢＩ）、前記ウェブサイトに関連するアクティビティ、メッセージ、および連絡を格納することと、
テンプレート、コンポーネント定義、サイトおよびアプリケーション定義、ならびに前記ウェブサイトの編集履歴を格納することと、
前記ウェブサイト構築システムのベンダおよびサードパーティカード設計者が前記ウィジェットカードを設計および編集することを可能にすることと、
をさらに含む、請求項１４に記載の方法。
【請求項２２】
前記ウィジェットカードのスタイルおよびレイアウトを、前記ウィジェットカードを表示するウェブサイトのスタイルおよびレイアウトのうちの少なくとも１つに適応させること、ならびに
前記ウェブサイトの設計者が、定義言語、修正された既存のビュー、およびビジュアル編集のうちの少なくとも１つに基づいてウィジェットを作成することを可能にすること、
のうちの少なくとも１つをさらに含む、請求項２１に記載の方法。
【請求項２３】
前記ユーザが、前記ウェブサイトの匿名のユーザ、前記ウェブサイトの通常のユーザ、前記ウェブサイトの加入ユーザ、前記ウェブサイトの非加入ユーザ；前記ウェブサイト構築システム、サードパーティアプリケーションプロバイダ、垂直アプリケーションプロバイダの内部ベンダスタッフ、前記ウェブサイトの訪問者、前記ウェブサイトの運営者、前記ウェブサイトの所有者、および前記ウェブサイトの設計者のうちの少なくとも１人である、請求項２１に記載の方法。
【請求項２４】
前記トリガが、前記ユーザの直接アクション、前記ユーザからの要求、外部の実世界センサイベント；前記ウェブサイトの時間ベースアクティビティおよびビジネスまたはデザイン分析のうちの１つである、請求項１４に記載の方法。
【請求項２５】
前記ウィジェットカードが、前記ウェブサイト構築システムに関連する少なくとも１つのサードパーティアプリケーションを用いてメッセージを伝達する、請求項１４に記載の方法。
【請求項２６】
前記製品が、消費財、サービスセッション、興味のあるトピック、または非消費者環境内の製品である、請求項１４に記載の方法。
【手続補正２】
【補正対象書類名】図面
【補正対象項目名】図２
【補正方法】変更
【補正の内容】
【図２】
2020514860.tif 000001